【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
印刷設定を含む印刷データであって、前記印刷設定を変更できないよう指定された印刷データを保存する保存手段と、
前記保存手段に保存されている印刷データを印刷する印刷手段と、
前記印刷手段による印刷データの印刷を指示するユーザが利用できる印刷設定を制限する制限情報を取得する取得手段と、
前記印刷手段における前記印刷データの印刷に関して、前記印刷データの印刷設定に従って印刷を行うか、前記取得手段によって取得された制限情報に従って印刷を行うか、を選択する選択手段と、
前記選択手段によって前記印刷データの印刷設定に従って印刷を行うよう選択されている場合、前記印刷手段により、前記印刷設定を変更できないよう指定された印刷データを、前記印刷データの印刷設定に従って印刷させ、前記選択手段によって前記制限情報に従って印刷を行うように選択されている場合、前記印刷手段により、前記印刷設定を変更できないよう指定された印刷データであっても、前記取得手段によって取得された制限情報に従って前記印刷データの印刷設定を変更して印刷させる制御手段と、
を有することを特徴とする画像処理装置。
【請求項２】
前記取得手段によって前記制限情報を取得することなく印刷データを印刷しないよう設定する設定手段を更に有し、
前記制御手段は、前記設定手段によって前記取得手段によって前記制限情報を取得することなく印刷データを印刷しないよう設定されている場合、前記印刷手段により、前記取得手段によって前記制限情報を取得することなく印刷データを印刷しないよう制御することを特徴とする請求項１に記載の画像処理装置。
【請求項３】
前記保存手段は、前記印刷設定を変更できないよう指定された印刷データ及び前記印刷設定の変更が許可された印刷データを保存可能であり、
前記制御手段は、前記選択手段によって前記印刷データの印刷設定に従って印刷を行うよう選択されていても、前記印刷設定の変更を許可された印刷データを前記印刷手段により印刷させる場合であれば、前記印刷データを、前記取得手段によって取得された制限情報に従って前記印刷データの印刷設定を変更して前記印刷手段により印刷させることを特徴とする請求項１又は２に記載の画像処理装置。
【請求項４】
前記画像処理装置は、ネットワークを介して外部装置と通信可能であり、
前記取得手段は、前記ネットワークを介して、前記外部装置から前記制限情報を取得することを特徴とする請求項１乃至３の何れか１項に記載の画像処理装置。
【請求項５】
印刷設定を含む印刷データであって、前記印刷設定を変更できないよう指定された印刷データを、保存手段に保存する保存ステップと、
前記保存手段に保存されている印刷データを印刷する印刷ステップと、
前記印刷ステップによる印刷データの印刷を指示するユーザが利用できる印刷設定を制限する制限情報を取得する取得ステップと、
前記印刷ステップにおける前記印刷データの印刷に関して、前記印刷データの印刷設定に従って印刷を行うか、前記取得ステップで取得された制限情報に従って印刷を行うか、を選択する選択ステップと、
前記選択ステップで、前記印刷データの印刷設定に従って印刷を行うように選択されている場合、前記印刷ステップでは、前記印刷設定を変更できないよう指定された印刷データを、前記印刷データの印刷設定に従って印刷させ、前記選択ステップで、前記制限情報に従って印刷を行うように選択されている場合、前記印刷ステップでは、前記印刷設定を変更できないよう指定された印刷データであっても、前記取得ステップで取得された制限情報に従って前記印刷データの印刷設定を変更して印刷させる制御ステップと、
を有することを特徴とする画像処理方法。
【請求項６】
コンピュータに、
印刷設定を含む印刷データであって、前記印刷設定を変更できないよう指定された印刷データを、保存手段に保存する保存ステップと、
前記保存手段に保存されている印刷データを印刷する印刷ステップと、
前記印刷ステップによる印刷データの印刷を指示するユーザが利用できる印刷設定を制限する制限情報を取得する取得ステップと、
前記印刷ステップにおける前記印刷データの印刷に関して、前記印刷データの印刷設定に従って印刷を行うか、前記取得ステップで取得された制限情報に従って印刷を行うか、を選択する選択ステップと、
前記選択ステップで、前記印刷データの印刷設定に従って印刷を行うように選択されている場合、前記印刷ステップでは、前記印刷設定を変更できないよう指定された印刷データを、前記印刷データの印刷設定に従って印刷させ、前記選択ステップで、前記制限情報に従って印刷を行うように選択されている場合、前記印刷ステップでは、前記印刷設定を変更できないよう指定された印刷データであっても、前記取得ステップで取得された制限情報に従って前記印刷データの印刷設定を変更して印刷させる制御ステップと、
を実行させることを特徴とするプログラム。
【手続補正２】
【補正対象書類名】明細書
【補正対象項目名】００１０
【補正方法】変更
【補正の内容】
【００１０】
本発明は前記の問題点に鑑みなされたもので、印刷設定を含む印刷データであって、前記印刷設定を変更できないよう指定されている印刷データの印刷設定に従って印刷を行うか、印刷データの印刷を指示するユーザの制限情報に従って印刷を行うかを、選択可能にすることを目的とする。
【手続補正３】
【補正対象書類名】明細書
【補正対象項目名】００１１
【補正方法】変更
【補正の内容】
【００１１】
そこで、前記問題を解決するため、本発明の画像処理装置は、印刷設定を含む印刷データであって、前記印刷設定を変更できないよう指定された印刷データを保存する保存手段と、前記保存手段に保存されている印刷データを印刷する印刷手段と、前記印刷手段による印刷データの印刷を指示するユーザが利用できる印刷設定を制限する制限情報を取得する取得手段と、前記印刷手段における前記印刷データの印刷に関して、前記印刷データの印刷設定に従って印刷を行うか、前記取得手段によって取得された制限情報に従って印刷を行うか、を選択する選択手段と、前記選択手段によって前記印刷データの印刷設定に従って印刷を行うよう選択されている場合、前記印刷手段により、前記印刷設定を変更できないよう指定された印刷データを、前記印刷データの印刷設定に従って印刷させ、前記選択手段によって前記制限情報に従って印刷を行うように選択されている場合、前記印刷手段により、前記印刷設定を変更できないよう指定された印刷データであっても、前記取得手段によって取得された制限情報に従って前記印刷データの印刷設定を変更して印刷させる制御手段と、を有することを特徴とする。
【手続補正４】
【補正対象書類名】明細書
【補正対象項目名】００１３
【補正方法】変更
【補正の内容】
【００１３】
また、前記問題を解決するため、本発明は、画像処理方法及びプログラムとしてもよい。
【手続補正５】
【補正対象書類名】明細書
【補正対象項目名】００１４
【補正方法】変更
【補正の内容】
【００１４】
本発明によれば、印刷設定を含む印刷データであって、前記印刷設定を変更できないよう指定されている印刷データの印刷設定に従って印刷を行うか、印刷データの印刷を指示するユーザの制限情報に従って印刷を行うかを、選択可能にすることができる。